(57)【要約】【課題】 安価にドレン排水の処理を行うことのできる高効率の温水機器を提供することを目的とする。【解決手段】  バーナ２２燃焼時に副熱交換器１９で発生したドレンを、ドレン貯留器１０１に一時的に貯留する。  水位センサーＷＳで検出する浴槽水の水位が一定または増加の場合には、ドレン通路１０２に備えられたドレン用電磁弁ＤＶは閉弁状態を保つ。  一方、水位センサーＷＳで検出する浴槽水の水位が居て維持関係属して減少している場合には、浴槽水排水中であると判断し、ドレン用電磁弁ＤＶを開弁状態とする。これにより、浴槽水排水に連動して、ドレン貯留器１０１と浴槽水排水通路７０とは連通状態となる。  このように、浴槽水排水とドレン排出とを同時に行うため、簡単にドレンを浴槽水排水で希釈することができる。【選択図】    図１
2005127648.tif 000002
【特許請求の範囲】
【請求項１】
燃焼室内で燃料を燃焼するバーナと、
上記バーナの燃焼排気熱により伝熱管内の通水を加熱する熱交換器と、
上記熱交換器で発生したドレンを一時的に貯留するドレン貯留部と、
上記ドレン貯留部と浴槽水排水通路とを接続するドレン通路と、
上記浴槽水の排水に連動して上記ドレン貯留部のドレンを上記浴槽水排水通路に排出するドレン排出手段と
を備えたことを特徴とする温水機器。
【請求項２】
上記ドレン排出手段は、上記浴槽水の排水時に、上記ドレン通路と上記浴槽水排水通路との接続部において生じる負圧により、上記ドレン貯留槽に貯留したドレンを上記浴槽排水通路中に吸入することを特徴とする請求項１記載の温水機器。
【請求項３】
燃焼室内で燃料を燃焼するバーナと、
上記バーナの燃焼排気熱により伝熱管内の通水を加熱する熱交換器と、
上記熱交換器で発生したドレンを一時的に貯留するドレン貯留部と、
上記ドレン貯留部と浴槽水の追焚循環通路とを接続するドレン通路と、
上記浴槽水の排水に連動して上記ドレン貯留部のドレンを上記浴槽水追焚循環通路に排出するドレン排出手段と
を備えたことを特徴とする温水機器。
【発明の詳細な説明】
【技術分野】
【０００１】
本発明は、燃焼排気により通水を加熱する熱交換器を備えた温水機器に関する。
【背景技術】
【０００２】
従来より温水機器の分野においては、給水管、給湯管が接続される熱交換器と、この熱交換器を加熱するバーナと、バーナに燃焼用空気を供給するファンとを備えた温水機器が知られている。
このような温水機器は、バーナにおける燃焼の燃焼排気熱でもって、熱交換器において通水を加熱し、給湯管より温水を供給するように構成される。
【０００３】
こうした温水機器の中には、特許文献１、２に示すように、燃焼排気熱の回収効率（以下、熱効率という）を向上させるために、燃焼排気熱の顕熱のみならず、燃焼排気中の水蒸気を凝縮させることにより潜熱をも回収する潜熱回収型温水機器がある。
潜熱回収型温水機器は、一般に燃焼排気流路の上流側に主に顕熱の回収を目的とする主熱交換器と、下流側に主に潜熱の回収を目的とする副熱交換器とを設ける。
このような潜熱回収型温水機器は、主熱交換器で回収できなかった燃焼排気柱の潜熱についても副熱交換器で回収するため、燃焼排気中のほとんどの熱エネルギーが回収できる。
【０００４】
ところで、このような潜熱回収型温水機器は、潜熱回収の過程で発生した凝縮水（以下、ドレンという）が、燃焼排気中の硫黄酸化物（ＳＯｘ）や、窒素酸化物（ＮＯｘ）と反のして酸性（ｐＨ３程度）になる。
そのため、ドレンは下水等の一般排水通路に排出する前に、特許文献１西召すように中和処理を行うか、特許文献２に示すように生活排水で希釈するなどの処理を行わなければならない。
【特許文献１】特開２００２−１９５６４５
【特許文献２】特開２００２−０４８４１３
【発明の開示】
【発明が解決しようとする課題】
【０００５】
しかしながら、特許文献１に示すように、ドレン中和処理を行う場合には、中和装置を設けなければならないために、著しくコスト高になるとともに温水機器本体の大型化を招いていた。さらに、中和装置において用いられる中和剤は、一定期間ごとに交換する必要があり、使用者の負担となっていた。
【０００６】
また、特許文献２に示すように、生活排水でドレンを希釈する場合には、生活排水が所定量流れていることを検知して、ドレンを生活排水通路に流す構成としなくてはならない。
この場合には、排水流量を検知するための専用装置を、わざわざ生活排水通路に設けなくてはならず、コスト高を招いていた。
【０００７】
本発明はかかる課題を解決し、中和器を不要とする安価な高効率温水機器を提供することを目的とする。
【課題を解決するための手段】
【０００８】
上記課題を解決する本発明請求項１記載の温水機器は、燃焼室内で燃料を燃焼するバーナと、
上記バーナの燃焼排気熱により伝熱管内の通水を加熱する熱交換器と、
上記熱交換器で発生したドレンを一時的に貯留するドレン貯留部と、
上記ドレン貯留部と浴槽水排水通路とを接続するドレン通路と、
上記浴槽水の排水に連動して上記ドレン貯留部のドレンを上記浴槽水排水通路に排出するドレン排出手段と
を備えたことを要旨とする。
【０００９】
また、上記課題を解決する本発明請求項２記載の温水機器は、上記請求項１記載の温水機器において、上記ドレン排出手段は、上記浴槽水の排水時に、上記ドレン通路と上記浴槽水排水通路との接続部において生じる負圧により、上記ドレン貯留槽に貯留したドレンを上記浴槽排水通路中に吸入することを要旨とする。
【００１０】
また、上記課題を解決する本発明請求項３記載の温水機器は、燃焼室内で燃料を燃焼するバーナと、
上記バーナの燃焼排気熱により伝熱管内の通水を加熱する熱交換器と、
上記熱交換器で発生したドレンを一時的に貯留するドレン貯留部と、
上記ドレン貯留部と浴槽水の追焚循環通路とを接続するドレン通路と、
上記浴槽水の排水に連動して上記ドレン貯留部のドレンを上記浴槽水追焚循環通路に排出するドレン排出手段と
を備えたことを要旨とする。
【発明の効果】
【００１１】
上記構成を有する本発明の請求項１記載の温水機器は、ドレン貯留部が熱交換器で発生したドレンを一時的に貯留する。そして、ドレン排出手段が、浴槽水の排水に連動して、ドレンを浴槽水の排水通路に排出する。
そのため、ドレンは排水する浴槽水により、確実に希釈された後に一般排水通路に排出される。
ドレンの酸性度はｐＨ３程度であり、希釈して下水等の一般排水路に排出可能な安全レベルにまで酸性度を下げるためには、大量の希釈水が必要となる。
一方、浴槽水の一回の排水量は約２００Ｌ程度であり、このような大量の水でドレンを希釈することにより、ドレンの酸性度を十分下げることができる。
この結果、ドレン排出量の少ない温水機器においては中和装置を不要とすることができる。また、ドレン排出量の多い温水機器においても、中和装置を小規模なものとすることができるとともに、中和剤の交換回数を減少させることができる。
これにより、安価でメンテナンス負担の少ない高効率の温水機器を提供することができる。
【００１２】
上記構成を有する本発明の請求項２記載の温水機器は、浴槽水の排水時には、排水する浴槽水の流れによって、浴槽水排水通路とドレン通路との接続部が負圧になり、ドレンを吸引して浴槽水排水通路に排出する。
そのため、ドレンを浴槽水排水に連動して浴槽水排水通路に排出するための特別な装置を設けなくてもよい。
これにより、安価で確実に、ドレンは浴槽排水により希釈される。
【００１３】
上記構成を有する本発明の請求項３記載の温水機器は、ドレン貯留部が熱交換器で発生したドレンを一時的に貯留する。そして、ドレン排出手段が、浴槽水の排水に連動して、ドレンを浴槽水の追焚循環通路に排出する。
そのため、ドレンは排水する浴槽水により、希釈された後に一般排水通路に排出される。
また、温水機器本体内の追焚循環通路にドレンを排出する構造とするために、ドレン排出のための外部配管工事を行う必要がなく施工者の負担を増加させない。
さらに、ドレン混入後の浴槽排水は、通常使用時に比べて酸性度が高くなり、殺菌効果を有するため、追焚循環通路および浴槽内の殺菌を同時に行うことができる。
【発明を実施するための最良の形態】
【００１４】
以上説明した本発明の構成、作用を一層明らかにするために、以下、本発明の温水機器における好適な実施形態について説明する。
【実施例１】
【００１５】
本実施例の温水機器の１例としての風呂付給湯器は、図１に示すように、器具ケーシング１２内に燃焼室２０が設けられ、その下方に設けられた給気ファン３６により燃焼用空気が給気口３０から取入れられるように構成される。
【００１６】
燃焼室２０は、給湯用燃焼室２０ａと、風呂追焚用燃焼室２０ｂとからなり、どちらも給気ファン３６から燃焼用空気が供給される。
【００１７】
給湯用燃焼室２０ａ内には、燃料ガスと給気ファン３６からの燃焼用空気との混合ガスを燃焼する給湯用バーナ２２Ｈと、給湯用バーナ２２Ｈからの燃焼排気の殆どの顕熱を回収する主熱交換器１８とが設けられる。
また、主熱交換器１８の上方側方には、主熱交換器１８で回収しきれなかった顕熱のほかに潜熱を回収する副熱交換器１９が設けられる。
【００１８】
副熱交換器１９の下方には、副熱交換器１９において発生したドレンを受けるドレン受け２００が備えられる。このドレン受け２００は、副熱交換器１９で発生したドレンを後述するドレン排出部１００に案内するための複数のバーリング孔２００ａを備える。
副熱交換器１９の側方には、副熱交換器１９で熱交換後の燃焼排気を燃焼室２０外へ排出する給湯用排気口４４Ｈが形成される。
この給湯用排気口４４Ｈは器具ケーシング１２に開口した器具排気口に臨んでいる。
【００１９】
風呂追焚用燃焼室２０ｂには、燃料ガスと給気ファン３６からの燃焼用空気との混合ガスを燃焼する追焚用バーナ２２Ｂと、追焚用バーナ２２Ｂからの燃焼熱を回収する追焚用熱交換器１７とが設けられる。
そして、追焚用熱交換器１７の側方には、追焚用熱交換器１７で熱交換後の燃焼排気を燃焼室２０外へ排出する追焚用排気口４４Ｂが形成される。この追焚用排気口４４Ｂについても、給湯用排気口４４Ｈと同様に器具ケーシング１２に開口した器具排気口に臨んでいる。
【００２０】
この風呂付給湯器の通水路は、給湯用通水路と追焚用通水路と両通水路を連通する連通路とからなる。
【００２１】
給湯用通水路は、上流から順に、給水管１４、副熱交換器１９に設けられる副伝熱管１９ａ、主熱交換器１８に設けられる主伝熱管１８ａ、および洗面所等の一般給湯路に接続されている給湯管１６から構成される。
給水管１４には、給水流量を感知する流量センサＳＱ１と、給水温度を感知するサーミスタＴｈ４と、水量を制御する水量制御モータＷＭとが設けられる。
副伝熱管１９ａは、ステンレスで形成され、主熱交換器１８を通過した燃焼排気の排気熱を回収するとともに発生したドレンをドレン受け２００へと案内する多数のフィン１９ｂを備える。
主伝熱管１８ａは、燃焼熱を吸収をする多数の熱回収フィン１８ｂを備える。
給湯管には、給湯サーミスタＴｈ３が設けられる。
【００２２】
追焚用通水路は、上流から、追焚戻り管６２、追焚用熱交換器１７に設けられる追焚用伝熱管１７ａ、および追焚往き管６３とから構成される。
追焚戻り管６２には、浴槽Ｂの水位を感知する水位センサＷＳ、電磁弁ＳＶ２、循環ポンプ５０、流水スイッチ５１、およびサーミスタＴｈ１が設けられる。
追焚用伝熱管１７ａには、燃焼排気の排気熱を回収する多数のフィン１７ｂが備えられる。
追焚往き管６３には、出湯サーミスタＴｈ２が備えられる。
なお、この追焚戻り管６２と追焚往き管６３とは、器具ケーシング１２外部において、追焚配管（ペアチューブ）６１と接続される。この追焚戻り管６２と追焚往き管６３と追焚配管６１とで追焚循環通路６０が形成される。
【００２３】
連通路は、給湯管１６と追焚戻り管６２とを接続する自動給湯管ＣＴと、自動給湯管ＣＴに設けられる落とし込み用電磁弁ＳＶ１、落とし込み水量センサＳＱ２、逆止弁ＣＶ１とから構成される。
【００２４】
次に、ドレン排出部１００について説明する。
ドレン排出部１００は、ドレンを一時的に貯留するドレン貯留器１０１と、ドレン受け２００より落下したドレンをドレン貯留器１０１に案内するドレン案内板１０３と、ドレン貯留器１０１と浴槽水排水通路７０とを接続するドレン通路１０２と、ドレン通路１０２を開閉するドレン用電磁弁ＤＶとから構成される。
【００２５】
ドレン案内板１０３は、ドレン受け２００の下方に設置されて、１０°程度の傾斜を形成する。
ドレン貯留器１０１はステンレスにより形成され、上方に大きく開口した椀形状をなす。また、このドレン貯留器１０１は、下方においてドレン通路１０２と接続している。
ドレン通路１０２は、塩化ビニルパイプにより形成され、下方において浴槽水排水通路７０と接続される。
ドレン用電磁弁ＤＶは、図示しないコントローラに接続され、後述する浴槽水排水に連動した開弁制御が行われる。
【００２６】
コントローラ（図示せず）は、上述したセンサー類およびアクチュエータ類と接続され、給湯動作および追焚動作制御を行う。
以下、コントローラの行う制御について簡単に説明をする。
【００２７】
まず、給湯作動について説明する。
図示しない給湯栓を開くことにより、給水管１４に水が流れる。
そして、水量センサＳＱからの信号により、図示しないコントローラが通水状態であることを感知すると制御動作を行い、給気ファン３６がＤＣモータ４８の駆動により回転し始める。
所定のプリパージが完了すると、給湯用バーナ２２にガスが供給され、点火が行われる。
点火動作が終了すると、比例制御が開始される。
出湯サーミスタＴｈ３で検出される湯温と設定温度との差があると、図示しないコントローラでそれを判断し、図示しないガス比例弁でガス量を連続的に変化させて出湯サーミスタＴｈ３の検出温度を一定に保つ。
また、ガス量の変化に応じて、図示しないコントローラから給気ファン３６のＤＣモータ４８に信号が送られ、給気ファン３６の回転数も変えられ、常にガス量と給気量との関係が一定に保たれるように制御される。
【００２８】
次に、風呂の湯張り動作について説明をする。
台所または浴室に備えられた図示しないリモコンにおいて、湯はり操作がなされると、落とし込み用電磁弁ＳＶ１が開弁し、給湯バーナ２２Ｈが燃焼を開始する。湯は、給湯管１６から接続管ＣＴを経由して、浴槽Ｂに供給される。
この間、定期的に電磁弁ＳＶ２を閉止して、水位センサーＷＳにより水圧を検出する。そして、水位センサーＷＳで検出する水位が、設定値と等しくなれば、給湯バーナ２２Ｈの燃焼が停止し、湯張り動作が完了する。
【００２９】
さらに、風呂の追焚操作について説明をする。
また、浴槽Ｂに水が張られた状態で、浴室に備えられた図示しないリモコンにより追焚操作がなされると、循環ポンプ５０が作動を開始する。
これにより追焚戻り管６２および追焚往き管６３に水が流れ、流水スイッチ５１がＯＮする。
この際、サーミスタＴｈ１で検知した温度が設定温度以下であれば、図示しないコントローラが、給気ファン３６を駆動した後、追焚用バーナ２２Ｂに燃料ガスを供給し、点火動作を行う。これにより、浴槽水の加熱が開始される。
浴槽水の加熱中は、サーミスタＴｈ１により循環水の温度を常に監視し、循環水の温度が設定温度以上になったことが検出されれば、追焚用バーナ２２Ｂにおける燃焼動作および循環ポンプ５０の動作を停止し、追焚動作が完了する。
【００３０】
次に、副熱交換器１９で発生したドレンの回収及び排出について説明する。
給湯バーナ２２Ｈの燃焼中には、給湯バーナ２２Ｈからの高温の燃焼排気は、主熱交換器１８の各フィン１８ｂ間を貫流し熱交換をした後、副熱交換器１９に案内され、再度の熱交換を行った後、排気口４４ａから器具の外部に排出される。
副熱交換器１９においては、主熱交換器１８を通過した燃焼排気をさらに冷却しドレンを発生させて潜熱を回収するとともに、主熱交換器で回収しきれなかった燃焼排気中の顕熱の回収を行う。
【００３１】
副熱交換器１９において発生したドレンは、フィン１９ｂを伝わってドレン受け２００に落下した後、バーリング孔２００ａを伝わって、ドレン案内板１０３に落下する。そして、ドレン案内板１０３上のドレンは、傾斜に沿って下降し、ドレン貯留器１０１に案内され貯留される。
【００３２】
ここで、ドレン貯留器１０１に貯留したドレンの排出制御ルーチンについて、図１１のフローチャートを用いて説明する。
本ルーチンは、機器本体に電源が入っている時に常時行われるもので、まず追焚戻り管６２に設けられた水位センサーＷＳの信号を読みこみ（Ｓ１）、検出した水位が継続して下降しているか否かを判断する（Ｓ２）。
浴槽水排水時以外、つまり湯張り時や使用者の入浴中には、水位センサーＷＳが検出する浴槽水の水位は、増加または一定であるか、入浴者の動きに伴って減
少することがあっても一定時間以上継続して減少することはない（Ｓ２：ＮＯ）。この場合には、ドレン用電磁弁ＤＶを閉弁状態に保つ（Ｓ４）。そのため、ドレンはドレン貯留器１０１に貯留される。
【００３３】
一方、使用者が浴槽Ｂの排水栓Ｐを抜いて浴槽水排水を開始すると、水位センサーＷＳの信号から検出される浴槽水水位は、一定の減少率で低下していく。
コントローラは、こうした一定時間以上継続した水位変化を検出すると（Ｓ２：ＹＥＳ）、排水栓Ｐが抜かれたと判断して、ドレン用電磁弁ＤＶに電流を流し、ドレン用電磁弁ＤＶを開弁状態とする（Ｓ３）。この場合には、ドレン貯留器１０１と浴槽水排水通路７０とは連通状態となり、ドレン貯留器１０１に貯留されたドレンは浴槽水排水通路７０に排出される。
そして、浴槽水の排水が完了し、水位センサーＷＳの検出する水位に変化が無くなると（Ｓ２：ＮＯ）、コントローラはドレン用電磁弁ＤＶへの通電を停止し、ドレン用電磁弁ＤＶを閉止する（Ｓ４）。
このような構成により、浴槽水の排水時に連動して、ドレンは浴槽水排水通路７０に排出される。
【００３４】
一般にドレンはｐＨ３以上であり、これを地方自治体の排水基準値のｐＨ５〜９とするためにはドレンを１００倍以上に希釈する必要があるが、このように大量の浴槽水でドレンを希釈することで、確実にドレンの酸性度を低くすることができる。
さらに、浴槽水が排出中であるか否かの判断をおこなう水位センサーＷＳを、浴槽の湯張り時に使用する水位センサーＷＳと兼用するために、浴槽水排水を感知するための専用の装置を設けなくてもよく、安価である。
【００３５】
ここで、発生したドレンを浴槽水を用いて希釈する安全性について説明する。
ここではドレン発生量を最大とするために、潜熱回収率１００％の風呂付給湯器を想定して説明を行う。また、水の蒸発潜熱は５９７．１ｋｃａｌ／ｋｇとし、水、湯およびドレンの密度は１ｋｇ／Ｌと近似する。
【００３６】
一般にドレンはｐＨ３程度であり、これを地方自治体排水基準地のｐＨ５以上とするためには、ドレンを１００倍以上に希釈する必要がある。また、一回の浴槽水排水量は一般に約２００Ｌである。
従って、一回の浴槽水排水によってドレンを希釈する場合には、希釈可能なドレンは、約２．０Ｌ以下ということになる。 
【００３７】
一方、潜熱回収率１００％の給湯器は、燃料ガスとして１３Ａのガスを用いた場合、総発熱量のうち９．７１％を潜熱で回収することになる。
このような給湯器を用いて、浴槽に４２℃の湯を２００Ｌ張る場合には、水道水温５℃とすると、１．２Ｌ（（２００ｋｇ）×（４２℃−５℃）×（０．０９７１）／（５９７．１ｋｃａｌ／ｋｇ））のドレンが発生することになり、前記２Ｌに対し、６０％と十分余裕がある。
これにより、一回の浴槽湯張り動作によって発生したドレンを浴槽水によって希釈することにより、その酸性度を安全レベルまで十分下げることができる。
【００３８】
また、発生するドレン量が多い場合には、中和器を別に設ける必要があるが、この場合でも大量の浴槽水であらかじめドレンを希釈するために、従来の高効率温水機器のように大がかりな中和器を設ける必要がなく、安価である。
さらに、中和剤の交換頻度も、ドレンを希釈しないものに比べて少なくてよく、使用者にとってメンテナンス負担が少ない。
【実施例２】
【００３９】
次に、実施例２について、図２を用いて説明する。
なお、第１実施例と異なる部分について説明し、重複する部分に関しては同一符号を付してその説明を省略する。
【００４０】
実施例２の風呂付給湯器１ａは、浴槽水の排水時に浴槽水排水通路とドレン通路との接続部に生じる減圧（負圧）作用を利用してドレンを排出するものである。
【００４１】
この風呂付給湯器１ａは、浴槽Ｂの排水口上部に排水アダプタ−４００を備える。
排水アダプタ−４００は、図３に示すようにアダプター本体４１０とアダプター栓４２０とから構成される。
【００４２】
アダプター本体４１０は、浴槽水排水通路７０よりも、ひとまわり小さい筒状体であり、図示されるようにオリフィス部４１１を備える。このオリフィス部４１１には、ドレン吸入口４１２が横方向に設けられる。この本体取付部４１２には、ドレン通路１０２が接続される。
また、アダプター本体４１０は、上面と、浴槽Ｂ底面と同じ高さの位置に、それぞれ浴槽水主排水口４１４および浴槽水副排水口４１３を備える。
【００４３】
アダプター栓４２０は、弾力性、耐熱水性、耐塩素性、耐酸性を有するゴム剤により形成され、つまみ部４２１と止水部４２２とからなる。
【００４４】
このような構造により、アダプター本体４１０にアダプター栓４２０が備えられた状態においては、ドレン吸入口４１２、浴槽水主排水口４１４、浴槽水副排水口４１３のいずれも、アダプター栓４２０により塞がれている。従って、浴槽水およびドレンのいずれも浴槽水排水通路７０に排出されることがない。
【００４５】
一方、図４に示すように、アダプター栓４２０を取り外して浴槽水の排水を行う場合には、浴槽水主排水口４１４からの排水の流れによりドレン吸入口４１２内の水圧が負圧になるベンチュリー効果が現れて、ドレン通路１０２よりドレンがアダプター本体４１０内に吸込まれる。吸込まれたドレンは、排水された浴槽水と合流し混合され、浴槽水排水通路７０に排出される。
なお、浴槽Ｂ内の水位が、アダプター本体４１０の上面部以下となった場合には、浴槽水は浴槽水主排水口４１４からの排水はなされないが、浴槽水副排水口４１３から浴槽が空になるまで十分に排水される。
【００４６】
これにより、複雑な制御および装置を用いることなく、簡単かつ安価にドレンを浴槽排水で希釈し、排出することができる。
また、排水アダプタ−４００を浴槽Ｂ内に設けるために、浴槽水排水通路７０には特別な配管工事が不要である。そのため、施工者の負担を著しく増加させることがない。
【００４７】
なお、実施例２では排水アダプタ−４００を浴槽Ｂ内に備える構造について説明をしたが、図５に示すように、ベンチュリー効果をもつアダプター本体４１０ａを浴槽Ｂの排水口下方に設けてもよい。
このアダプター本体４１０ａは、図６に示すように、実施例２のアダプター本体４１０と同様、筒状体であり、オリフィス部４１１ａを備える。そして、このオリフィス部４１１ａは、横方向にドレン吸入口４１２ａを有する。
このように、アダプター本体４１０ａを浴槽Ｂの下方に設ける構造とした場合、浴槽Ｂ内にドレン通路１０２を配管しなくてもよく、浴槽内の美観および使い勝手を悪化させない。
【００４８】
また、アダプター本体４１０の形状についても、オリフィス部４１１を持つ形状に限定せず、図７、図８に示すような形状としてもよい。
このアダプター本体４１０ｂは、浴槽排水口Ｂ１よりも大径の大径部４１１ｂと絞り部４１３ｂとを備える。そして、大径部４１１ｂには、ドレン吸入口４１２ｂが形成される。
このような構成により、図７に示すように、浴槽排水口Ｂ１にアダプター栓４２０が備えられた状態においては、ドレン吸入口４１２、浴槽排水口Ｂ１のいずれも、アダプター栓４２０により塞がれている。従って、浴槽水およびドレンのいずれも、浴槽水排水通路７０に排出されることがない。
【００４９】
一方、図８に示すように、アダプター栓４２０を取り外して浴槽水の排水を行う場合には、浴槽排水口Ｂ１からの排水の流れによりドレン吸入口４１２ｂ内の水圧が負圧になり、ドレン通路１０２よりドレンがアダプター本体４１０ｂ内に吸込まれる。吸込まれたドレンは、絞り部４１３ｂにおいて浴槽水と合流し混合され、浴槽水排水通路７０に排出される。
【実施例３】
【００５０】
次に、実施例３の風呂付給湯器について、図９を用いて説明する。
なお、第１実施例と異なる部分について説明し、重複する部分に関しては同一符号を付してその説明を省略する。
【００５１】
実施例３の風呂付給湯器１ｂは、実施例１の風呂付給湯器１のドレン通路１０２が浴槽水排水通路７０に接続されていたのに対し、ドレン通路１０２を追焚循環通路６０に接続するものである。
この風呂付給湯器１ｂの追焚戻り管６２は、循環ポンプ５０の下流においてドレン吸入口６２ａを備える。そして、このドレン吸入口６２ａにおいて、ドレン通路１０２と接続される。
なお、追焚戻り管６２は、耐食性のあるステンレスで形成されている。
【００５２】
実施例３のドレン排出制御ルーチンは、実施例１と同様に図１１のフローチャートで示される。
機器本体に電源が入っている時には、コントローラは常に水位センサーＷＳの信号を読みこみ（Ｓ１）、検出した水位が継続して下降しているか否かを判断する（Ｓ２）。
浴槽水排水時以外、つまり湯張り時や使用者の入浴中には、水位センサーＷＳが検出する浴槽水の水位は、増加または一定であるか、入浴者の動きに伴って減
少することがあっても一定時間以上継続して減少することはない（Ｓ２：ＮＯ）。この場合には、ドレン用電磁弁ＤＶを閉弁状態に保つため（Ｓ４）、ドレン通路１０２上部に備えられたドレン貯留器１０１と追焚戻り管６２とは連通していない。つまり、ドレン貯留器１０１に貯留されたドレンが、追焚戻り管６２に流れ出すことがない。
【００５３】
一方、使用者が浴槽Ｂの排水栓Ｐを抜いて浴槽水排水を開始すると、水位センサーＷＳの信号から検出される浴槽水水位は、一定の減少率で低下していく。コントローラは、こうした一定時間以上継続した水位変化を検出すると（Ｓ２：ＹＥＳ）、排水栓Ｐが抜かれたと判断して、ドレン用電磁弁ＤＶに電流を流し、ドレン用電磁弁ＤＶを開弁状態とする（Ｓ３）。
この場合には、ドレン貯留器１０１と追焚戻り管６２とは連通され、ドレンは追焚戻り管６２を経て、浴槽Ｂに落とし込まれた後、浴槽水により希釈されて排出される。
なお、このドレン排出中は、電磁弁ＳＶ２は常に開弁状態である。
【００５４】
このように、ドレン通路１０２と追焚戻り管６２とを器具ケーシング１２内で接続することにより、施工者は、浴槽水排水通路７０等にドレン排出用の接続工事を別途行う必要がない。つまり、温水機器本体内でドレン通路の接続を行うことにより、ドレンを排出しない温水機器と同様の施工方法で、器具が設置できるのである。
また、ドレン通路１０２も短くてすみ、一層安価に提供できる。
さらに、ドレンは一旦浴槽Ｂ内に排出されるために、浴槽Ｂ内の大量の浴槽水において確実に希釈される。
加えて、ドレン吸入口６２ａよりも下流側の追焚戻り管６２、および浴槽Ｂは、浴槽水排水時には、ドレンにより酸性となるために、殺菌効果も期待できる。
【００５５】
また、図１０に示すように浴槽Ｂがドレン貯留器１０１よりも高い位置にある場合や、追焚循環通路６０内にドレンが残留する場合には、循環ポンプ５０の駆動力を利用して、ドレン貯留器１０１中のドレンを強制的に浴槽Ｂ内へ排出することができる。
【００５６】
この風呂付給湯器１ｂでは、浴槽水排水時には、ドレン用電磁弁ＤＶを開弁状態にするとともに、電磁弁ＳＶ２を閉弁し、循環ポンプ５０を回転させる。
これにより、ドレン吸入口６２ａは減圧され、ドレン貯留器１０１に貯留したドレンは追焚戻り管６２に吸入される。追焚戻り管６２に吸入されたドレンは、その後、追焚往き管６３、浴槽Ｂを経て排出される。
【００５７】
このような構成により、浴槽Ｂをドレン貯留器１０１よりも高い位置に設置する場合等であっても、ドレン排出専用のポンプを設けることなく、浴槽水循環用の循環ポンプ５０を利用して、ドレン貯留器１０１に貯留したドレンを排出することができる。
【００５８】
以上、本発明の実施例について説明したが、本発明は、こうした実施形態に何ら限定されるものではなく、本発明の要旨を逸脱しない範囲において種々なる形態で実施しうることはもちろんである。
例えば、実施例においては、主に顕熱の回収を行う主熱交換器と主に潜熱の回収を行う副熱交換器との両方を備える給湯器について説明をしたが、一つの熱交換器で顕熱と潜熱との両方を回収する構造としてもよい。また、給湯側熱交換器において発生したドレンだけでなく、風呂追焚側熱交換器で発生したドレンを回収する構成としてもよい。
また、実施例１、３において、浴槽水を排水しているか否かの判断を水位センサーを用いて行うものについて説明したが、水位センサーを用いるものに限定しない。例えば、浴槽に設けられた排水口にスイッチを設け、排水栓が抜かれた状態になった時に、コントローラに排水中である旨の信号を送るような構成としてもよい。また、自動排水栓のあるものについては、その排水信号を入力する構成としてもよい。
さらに、実施例２の排水アダプタ−の構造は、浴槽水排水時にドレン吸入口が減圧する構造のものであればよく、その構造に限定しない。
【産業上の利用可能性】
【００５９】
本発明は、風呂付給湯器への適用に限定せず、給湯単機能の温水機器や、風呂追焚単機能の温水機器や、暖房機能付温水機器に適用してもよい。
また、ファンを備えた強制給排気式の温水機器への適用のみならず、自然燃焼式の温水機器に適用してもよい。
【図面の簡単な説明】
【００６０】
【図１】本発明実施例１の風呂付給湯器を示した説明図である。
【図２】本発明実施例２の風呂付給湯器を示した説明図である。
【図３】本発明実施例２の風呂付給湯器の排水アダプタ−を示した説明図である。
【図４】本発明実施例２の風呂付給湯器のアダプター本体を示した説明図である。
【図５】本発明実施例２の風呂付給湯器の排水アダプタ−を示した説明図である。
【図６】本発明実施例２の風呂付給湯器のアダプター本体を示した説明図である。
【図７】本発明実施例２の風呂付給湯器の排水アダプターを示した説明図である。
【図８】本発明実施例２の風呂付給湯器のアダプター本体を示した説明図である。
【図９】本発明実施例３の風呂付給湯器を示した説明図である。
【図１０】本発明実施例３の風呂付給湯器を示した説明図である。
【図１１】本発明実施例の風呂付給湯器のドレン排出制御ルーチンを示すフローチャートである。
【符号の説明】
【００６１】
１  風呂付給湯器
Ｂ  浴槽
Ｃ  コントローラ
Ｐ  排水栓
１２  器具ケーシング
１４  追焚戻り管
１６  追焚往き管  
１８  主熱交換器
１９  副熱交換器
２０  燃焼室
２２  バーナ
３６  給気ファン  
５０  循環ポンプ
５１  流水スイッチ
６０  追焚循環通路
６１  追焚配管
ＣＶ  開閉弁
ＤＶ  ドレン用電磁弁
ＷＳ  水位センサー
７０  浴槽水排水通路
１００  ドレン排出部
１０１  ドレン貯留器
１０２  ドレン通路
２００  ドレン受け  
１８ａ  主伝熱管
１９ａ  副伝熱管
２０ａ  給湯用燃焼室
２０ｂ  風呂追焚用燃焼室
ＳＶ１  落とし込み用電磁弁
ＳＶ２  電磁弁
Ｔｈ１  温水サーミスタ
【図１】
2005127648.tif 000003
【図２】
2005127648.tif 000004
【図３】
2005127648.tif 000005
【図４】
2005127648.tif 000006
【図５】
2005127648.tif 000007
【図６】
2005127648.tif 000008
【図７】
2005127648.tif 000009
【図８】
2005127648.tif 000010
【図９】
2005127648.tif 000011
【図１０】
2005127648.tif 000012
【図１１】
2005127648.tif 000013